(57)【要約】【課題】ドア装置において雰囲気温度が低いことに起因する動作不良が生じ難いエレベータを提供することを課題とする。【解決手段】本発明は、かご及び乗場の少なくとも一方の出入口を開閉するドア、及び該ドアを開閉駆動するモータを有するドア装置と、モータの制御を介してドア装置におけるドアの開閉動作を制御すると共に、該モータのトルク電流値を検知可能な制御部と、を備え、制御部は、戸開の際のドアの加速時において、ドア周りの挟まれ及び引き込まれ時の安全を確保するために設定されている第一トルク制限値より小さな第二トルク制限値にモータのトルク電流値が達したときに、ドア装置におけるドアの開動作を加速から等速に切り替える、ことを特徴とする。【選択図】図３
2020132293.tif 000002
【特許請求の範囲】
【請求項１】
かご及び乗場の少なくとも一方の出入口を開閉するドア、及び該ドアを開閉駆動するモータを有するドア装置と、
前記モータの制御を介して前記ドア装置における前記ドアの開閉動作を制御すると共に、該モータのトルク電流値を検知可能な制御部と、を備え、
前記制御部は、戸開の際の前記ドアの加速時において、ドア周りの挟まれ及び引き込まれ発生時の安全を確保するために設定されている第一トルク制限値より小さな第二トルク制限値に前記モータのトルク電流値が達したときに、前記ドア装置における前記ドアの開動作を加速から等速に切り替える、エレベータ。
【請求項２】
前記制御部は、戸開の際の前記ドアの加速時に前記モータのトルク電流値が前記第二トルク制限値に達したときは、該戸開の次の戸閉の際に、トルク電流値が前記第二トルク制限値に達しないときの通常運転時における閉動作より低速となるように、前記ドアの閉動作を行う、請求項１に記載のエレベータ。
【発明の詳細な説明】
【技術分野】
【０００１】
本発明は、かご及び乗場の少なくとも一方の出入口を開閉するドア装置を備えるエレベータに関する。
【背景技術】
【０００２】
従来から、雰囲気温度が低くても凍結を防止して出入口のドアが正常に開閉動作するドア装置を備えたエレベータが知られている（特許文献１参照）。具体的に、このエレベータのドア装置は、図４に示すように、三方枠９３０と敷居９４０とからなり出入口９１０の縁部を形成する枠状体９２０と、出入口９１０を開閉するドア９５０と、三方枠９３０に設けられる温風ヒータ９６０と、を備える。
【０００３】
三方枠９３０は、水平方向に延びる上縁部材９３１と、上縁部材９３１の両端からそれぞれ下方に延びる一対の側縁部材９３２と、によって構成されている。また、温風ヒータ９６０は、上縁部材９３１に設けられてドア９５０の面に沿い上縁部材９３１の長手の全長にわたって下方に温風（図４の二点鎖線の矢印参照）を送風する。
【０００４】
以上のエレベータのドア装置９００では、温風ヒータ９６０が上縁部材９３１からドア９５０の面に沿い上縁部材９３１の長手の全長にわたって下方に温風を送風することで、ドア９５０が加熱される。これにより、上縁部材９３１及び各側縁部材９３２とドア９５０との相互間、及び、ドア９５０の戸当たり箇所（即ち、ドア９５０の相互間）における凍結を防ぐことができる。
【先行技術文献】
【特許文献】
【０００５】
【特許文献１】特開２００３−２５７１号公報
【発明の概要】
【発明が解決しようとする課題】
【０００６】
しかし、上記のドア装置９００では、温風ヒータ９６０がドア９５０を加熱することで、枠状体９２０とドア９５０との相互間、及びドア９５０の戸当たり箇所の凍結を防ぐことができるが、ドア９５０が開閉する際の他の可動箇所（例えば、ドア９５０を開閉させるためのモータや該モータで生じた動力をドア９５０に伝達する機構等）は加熱されず、これにより、前記可動箇所が凍結等によって動き難くなることを防止できない。
【０００７】
このため、上記のドア装置９００では、雰囲気温度が低くなると、ドア９５０や、枠状体９２０以外の可動箇所が動き難くなり、これにより、ドア９５０を開閉させるためのモータの負荷が大きくなることで、ドア周りの挟まれや引き込まれが発生した場合と同じ状態、即ち、モータのトルク電流の値（トルク電流値）が大きくなり過ぎ、その結果、ドア９５０の開閉動作が停止する等の動作不良が生じる場合があった。
【０００８】
そこで、本発明は、ドア装置において雰囲気温度が低いことに起因する動作不良が生じ難いエレベータを提供することを課題とする。
【課題を解決するための手段】
【０００９】
本発明のエレベータは、
かご及び乗場の少なくとも一方の出入口を開閉するドア、及び該ドアを開閉駆動するモータを有するドア装置と、
前記モータの制御を介して前記ドア装置における前記ドアの開閉動作を制御すると共に、該モータのトルク電流値を検知可能な制御部と、を備え、
前記制御部は、戸開の際の前記ドアの加速時において、ドア周りの挟まれ及び引き込まれ発生時の安全を確保するために設定されている第一トルク制限値より小さな第二トルク制限値に前記モータのトルク電流値が達したときに、前記ドア装置における前記ドアの開動作を加速から等速に切り替える。
【００１０】
かかる構成によれば、雰囲気温度が低くなったときにモータのトルク電流値が高くなりやすい戸開の加速時において、モータのトルク電流値が第一トルク制限値に達する前に（即ち、第二トルク制限値に達したときに）、ドアの開動作を加速から等速に切り替えてモータの負荷を加速が続く場合に比べて抑えることで、モータのトルク電流値が大きくなり過ぎることが抑えられる。これにより、雰囲気温度が低いことに起因する動作不良（即ち、雰囲気温度が低いときのドアの加速時にモータの負荷が増大等してトルク電流値が大きくなり過ぎることに起因するドア装置の動作不良（開閉動作の停止等））が生じ難くなる。
【００１１】
前記エレベータでは、
前記制御部は、戸開の際の前記ドアの加速時に前記モータのトルク電流値が前記第二トルク制限値に達したときは、該戸開の次の戸閉の際に、トルク電流値が前記第二トルク制限値に達しないときの通常運転時における閉動作より低速となるように、前記ドアの閉動作を行ってもよい。
【００１２】
かかる構成によれば、雰囲気温度の低下に起因するドアの動作不良が生じ易くなっていることを、戸開時のトルク電流値によって検知したときに（即ち、モータのトルク電流値が第二トルク制限値に達したことで）、該戸開に続く戸閉において、ドアの閉動作の速度を通常運転時（雰囲気温度が低くない状態での運転時）の閉動作より低速にしてモータの負荷を抑え、これにより、トルク電流値が大きくなり過ぎることに起因するドア装置の動作不良を、前記戸開に続く戸閉においても、防ぐことができる。
【発明の効果】
【００１３】
以上より、本発明によれば、ドア装置において雰囲気温度が低いことに起因する動作不良が生じ難いエレベータを提供することができる。
【図面の簡単な説明】
【００１４】
【図１】図１は、本実施形態に係るエレベータの構成を説明するための模式図である。
【図２】図２は、前記エレベータのかごの構成を説明するための図である。
【図３】図３は、前記かごが有するドア装置の制御を示すフロー図である。
【図４】図４は、従来のドア装置を説明するための模式図である。
【発明を実施するための形態】
【００１５】
以下、本発明の一実施形態について、図１〜図３を参照しつつ説明する。
【００１６】
本実施形態に係るエレベータは、図１に示すように、建物内を複数の階層に跨って上下方向に延びる昇降路２を昇降するかご３を備える。このエレベータ１では、かご３が所定の階層（フロア）の乗場４に停止し（乗場４の設けられた階層に着床し）、かごドア５１及び乗場ドア４１が開くことで、利用者等がかご３に乗降する。
【００１７】
かご３は、図２にも示すように、矩形の出入口３１を有するかご本体３０と、かご本体３０の出入口３１を開閉するかごドア５１を有するドア装置５と、ドア装置５を制御する制御部６と、を備える。
【００１８】
かご本体３０は、内部空間を有し、出入口３１を通じて人や物を乗降させる。かご本体３０において、出入口３１は、三方枠（枠部材）３１１と、三方枠３１１の下端において水平方向に延び且つかごドア５１の下端を出入口３１の幅方向に案内する敷居３１２と、によって規定されている。このかご本体３０は、出入口３１の上方において、該出入口３１の幅方向（水平方向）に延びるレール３２を有する。このレール３２は、かごドア５１が開閉するときに、該かごドア５１（詳しくは、かごドア５１の上部）を案内する。
【００１９】
ドア装置５は、かご本体３０の出入口３１を開閉するかごドア（ドア）５１と、かごドア５１を開閉駆動する駆動部５２と、を有する。
【００２０】
尚、本実施形態のエレベータ１において、ドア装置５は、かご３のかごドア５１を開閉させると共に、着床している階層に設けられた乗場４のドア（乗場ドア）４１の開閉も行う。即ち、かご３が所定の階層の乗場４に停止すると、かごドア５１と乗場ドア４１とが係合し、これにより、ドア装置５によってかごドア５１が開閉されると、乗場ドア４１がかごドア５１の開閉に追従して開閉する。このため、以下では、ドア装置５におけるかごドア５１の開閉動作を説明する際に、かごドア５１及び乗場ドア４１を合わせて、単に、「ドア４１、５１」と称することもある。
【００２１】
かごドア５１は、矩形状のパネルである。本実施形態のかご３は、二枚のかごドア５１を有する、いわゆるセンターオープンタイプである。
【００２２】
駆動部５２は、かご本体３０に配置され、かごドア５１を直接又は間接に駆動する。この駆動部５２は、レール３２の上方位置においてかごドア５１の開閉方向（出入口３１の幅方向）に間隔をあけて配置される複数のプーリー５２１と、複数のプーリー５２１に巻き掛けられた無端環状のベルト５２２と、複数のプーリー５２１のうちの一つのプーリー５２１を回転駆動するモータ５２３と、を有する。また、駆動部５２は、ベルト５２２に接続され、且つかごドア５１を直接又は間接に吊り下げた状態でレール３２に沿って往復動可能なドアハンガー５２４も有する。本実施形態のエレベータ１では、かご３が二枚のかごドア５１を有しているため、この駆動部５２は、二つのドアハンガー５２４を有する。これら二つのドアハンガー５２４のそれぞれは、該ドアハンガー５２４がレール３２に沿って往復動するときに該レール３２上を転がる複数のローラ５２４１を有する。
【００２３】
制御部６は、モータ５２３に流れるトルク電流を監視（モニタ）しつつドア装置５におけるドア４１、５１の開閉動作を制御する。具体的に、制御部６は、モータ５２３の制御を介してドア装置５におけるドア４１、５１の開閉動作を制御すると共に、該モータ５２３のトルク電流の値（トルク電流値）を検知する。本実施形態の制御部６は、戸開の際のドア４１、５１の加速時において、ドア４１、５１周りの挟まれ及び引き込まれ発生時の安全を確保するために設定されているトルク制限値（第一トルク制限値）より小さなプリトルク制限値（第二トルク制限値）にモータ５２３のトルク電流値が達したときに、ドア装置５におけるドア４１、５１の開動作を加速から等速に切り替える。
【００２４】
ここで、トルク制限値とは、安全のためにドア４１、５１の動作（開動作又は閉動作）を停止や反転させるトリガーとなる値のことである。即ち、モータ５２３のトルク電流値がトルク制限値に達すると、ドア４１、５１周りにおいて挟まれや引き込まれが発生した（即ち、ドア４１、５１に人や物等が挟まれ、又は、戸袋等に人や物等が引き込まれた）可能性が高いため、ドア４１、５１が閉動作しているときには停止又は開動作に切り替えられ（反転戸開し）、ドア４１、５１が開動作しているときには停止又は閉動作に切り替えられる（反転戸閉する）。
【００２５】
具体的に、トルク制限値は、各階層の乗場４においてドア装置５等の据え付けが完了した後に、乗場ドア４１が最も重い階層において、ドア装置５によってかごドア５１を乗場ドア４１と共に開閉させ、そのときのモータ５２３のトルク電流をモニタして得られたトルク電流値に基づいて設定されている。
【００２６】
この値（トルク制限値）は、安全性と過剰反応しないこととのバランスで決められている。具体的には、トルク制限値が大き過ぎると、人がぶつかったりドア４１、５１に挟まれたりしたとき等にドア４１、５１が停止又は反転動作し難くなり、トルク制限値が小さ過ぎると、ドア４１、５１への僅かな衝撃やシル溝内のごみ等によるドア４１、５１の開閉時の抵抗の増大等によってもドア４１、５１が停止又は反転動作してしまうため、本実施形態のトルク制限値は、大き過ぎず且つ小さ過ぎない最適な値を、過去の運転状況や試験結果等に基づいて定められる。尚、標準仕様のエレベータでは、トルク制限値は、出荷時の設定をそのまま使用してもよい。
【００２７】
例えば、正常運転状態でドア４１、５１が開閉されたときにモニタされるトルク電流値（突入電流の電流値を除いた最大値）に、このトルク電流値の３０〜５０％を加えた値、即ち、モニタされたトルク電流値（最大値）の１３０％〜１５０％の値である。
【００２８】
また、プリトルク制限値とは、ドア装置５が雰囲気温度の低下によって開閉動作し難くなったときに、モータ５２３の負荷を抑えて該モータ５２３のトルク電流値がトルク制限値に達しないようにするために設定される値であり、トルク制限値より小さい。
【００２９】
このプリトルク制限値は、ドア装置５が雰囲気温度の低下によって開閉動作し難くなったときに、モータ５２３のトルク電流値のトルク制限値到達によるドア４１、５１の停止又は反転を防ぐために、モータ５２３のトルク電流値がプリトルク制限値に達してから該プリトルク制限値をトリガーとする制御部６からの動作指令がドア４１、５１の動作に反映されるまでの反応時間（遅れ）に基づいて設定されている。例えば、本実施形態のプリトルク制限値は、トルク制限値の７０％程度である。
【００３０】
本実施形態の制御部６による具体的なドア４１、５１の開閉制御を、図３も参照しつつ説明する。
【００３１】
先ず、制御部６は、乗場ドア４１のキャッチローラ（かごドア５１の開閉に乗場ドア４１を追従させるためのかごドア５１との係合部）をかごドア５１が掴む際の機械音を防ぐ為と、かごドア５１の戸開方向への加速前の軽い助走的な役割を果たすように、かごドア５１を低速で戸開方向に動かす（クリープフェーズ：ステップＳ１）。
【００３２】
クリープフェーズが終了すると、制御部６は、続いて、ドア４１、５１を所定の速度（第一の速度）になるまで戸開方向に加速する（戸開加速フェーズ：ステップＳ２）。
【００３３】
戸開加速フェーズにおいてドア４１、５１が第一の速度まで加速されると（ステップＳ３：Ｎｏ）、制御部６は、戸開加速フェーズを終了し、第一の速度を維持しつつ（等速で）ドア４１、５１を戸開方向に移動させる（戸開等速フェーズ：ステップＳ４）。
【００３４】
所定の位置（第一の位置）までドア４１、５１が移動して戸開等速フェーズが終了すると、制御部６は、全開状態となったとき（全開位置に到達したとき）にドア４１、５１が停止するようにドア４１、５１を減速する（戸開減速フェーズ：ステップＳ５）。
【００３５】
続いて、全開状態となったドア４１、５１が戸閉するときには、制御部６は、ドア４１、５１を所定の速度（第二の速度）になるまで戸閉方向に加速する（戸閉加速フェーズ：ステップＳ６）。尚、第二の速度は、ステップＳ４の第一の速度と同じでもよく、異なっていてもよい。
【００３６】
戸閉加速フェーズにおいてドア４１、５１が第二の速度まで加速されると、制御部６は、戸閉加速フェーズを終了し、第二の速度を維持しつつ（等速で）ドア４１、５１を戸閉方向に移動させる（戸閉等速フェーズ：ステップＳ７）。
【００３７】
所定の位置までドア４１、５１が移動して戸閉等速フェーズが終了すると、制御部６は、全閉状態になったとき（全閉位置に到達したとき）にドア４１、５１が停止するようにドア４１、５１を減速する（戸閉減速フェーズ：ステップＳ８）。以上で、ドア４１、５１の開閉動作が終了する。
【００３８】
一方、戸開加速フェーズにおいて、雰囲気温度が低くなる（例えば、雰囲気温度が０℃未満になる）ことによってドア４１、５１が開閉し難くなり、これにより、モータ５２３の負荷が大きくなってトルク電流値が通常の開閉動作時（例えば、雰囲気温度が０℃以上のときの開閉動作時）より上昇し、プリトルク制限値に達すると（ステップＳ３：Ｙｅｓ）、制御部６は、ドア４１、５１の速度が第一の速度に達していなくても、戸開加速フェーズを終了し（ステップＳ１３）、戸開等速フェーズに移行する。具体的には、制御部６は、トルク電流値がプリトルク電流値に達すると、ドア４１、５１の速度が第一の速度に達していなくても、ドア４１、５１の開動作を加速から等速に切り替える（即ち、トルク電流値がプリトルク制限値に達したときのドア４１、５１の速度で等速移動に切り替える：ステップＳ１４）。
【００３９】
所定の位置（第二の位置）までドア４１、５１が移動して戸開等速フェーズが終了すると、制御部６は、全開状態になったときにドア４１、５１が停止するようにドア４１、５１を減速する（戸開減速フェーズ：ステップＳ１５）。尚、第二の位置は、ステップＳ５の第一の位置と同じでもよく、異なっていてもよい。
【００４０】
続いて、全開状態となったドアが戸閉するときには、制御部６は、ドア４１、５１を所定の速度（第三の速度）になるまで戸閉方向に加速する（戸閉加速フェーズ：ステップＳ１６）。この加速は、ステップＳ６の加速より加速度が小さく、第三の速度は、ステップＳ６の第二の速度より低速である。本実施形態の第三の速度は、例えば、第二の速度の８０〜９０％である。
【００４１】
戸閉加速フェーズにおいてドア４１、５１が第三の速度まで加速されると、制御部６は、戸閉加速フェーズを終了し、第三の速度を維持しつつ（等速で）ドア４１、５１を戸閉方向に移動させる（戸閉等速フェーズ：ステップＳ１７）。
【００４２】
所定の位置までドア４１、５１が移動して戸閉等速フェーズが終了すると、制御部６は、全閉状態になったときにドア４１、５１が停止するようにドア４１、５１を減速する（戸閉減速フェーズ：ステップＳ１８）。以上で、戸開時にトルク電流値がプリトルク制限値に達したときのドア４１、５１の開閉動作が終了する。
【００４３】
以上のように、制御部６は、戸開時（戸開加速フェーズ）においてトルク電流値がプリトルク制限値に達したときには、その次の戸閉動作（戸閉加速フェーズ、戸閉等速フェーズ、及び、戸閉減速フェーズの全てのフェーズ）でのドア４１、５１の加速度や移動速度（等速の移動速度）が、戸開時にトルク電流値がプリトルク制限値に達しなかったときに比べ、全体的に小さく（低く）設定されている。
【００４４】
尚、ドア４１、５１を全閉状態から戸開するときに、トルク電流値がプリトルク制限値を超えてトルク制限値に達したときには、制御部６は、ドア４１、５１を反転させて戸閉し（反転戸閉し）、全閉状態から、再度、ドア４１、５１を戸開する。この戸開においてもトルク電流値がトルク制限値に達したときには、再度、ドアを反転させて戸閉する。この戸開及び戸閉を所定回数繰り返しても戸開時においてトルク電流値がトルク制限値に達するときには、制御部６は、ドア４１、５１の開閉を停止する。
【００４５】
また、ドア４１、５１を全開状態から戸閉するときも、戸開時と同様に、トルク電流値がトルク制限値に達したときには、制御部６は、ドア４１、５１を反転させて戸開し（反転戸開し）、全開状態から、再度、ドア４１、５１を戸閉する。この戸閉においてもトルク電流値がトルク制限値に達したときには、再度、ドアを反転させて戸開する。この戸閉及び戸開を所定回数繰り返しても戸閉時においてトルク電流値がトルク制限値に達するときには、制御部６は、ドア４１、５１の開閉を停止する。
【００４６】
以上のエレベータ１によれば、雰囲気温度が低くなったとき（本実施形態の例では、０℃より小さくなったとき）にモータ５２３のトルク電流値が高くなりやすい戸開の加速時において、モータ５２３のトルク電流値がトルク制限値（第一トルク制限値）に達する前に（即ち、プリトルク制限値（第二トルク制限値）に達したときに）、ドア４１、５１の開動作を加速から等速に切り替えてモータ５２３の負荷を加速が続く場合に比べて抑えることで、モータ５２３のトルク電流値が大きくなり過ぎることが抑えられる。これにより、雰囲気温度が低いことに起因する動作不良（即ち、雰囲気温度が低いときのドア４１、５１の加速時にモータ５２３の負荷が増大等してトルク電流値が大きくなり過ぎることに起因するドア装置５の動作不良（開閉動作の停止や反転等））が生じ難くなる。詳しくは、以下の通りである。
【００４７】
例えば、かご３の周囲の温度（雰囲気温度）が０℃を下回って十分な時間が経過すると、かご３やドア装置５を構成する各構成部材の温度が十分に低下する。この状態では、ドア装置５がドア４１、５１を開閉しようとすると、モータ５２３のトルク電流値が通常のドア４１、５１の開閉時（雰囲気温度が０℃以上のときのドア４１、５１の開閉時）より大きくなることがある。この状態で、ドア装置５がドア４１、５１を開閉させようとすると、駆動部５２のモータ５２３のトルク電流値が大きくなり過ぎ、制御部６によって異常値（トルク制限値を超えた値）と判断され、ドア４１、５１が戸開又は戸閉の途中で停止や反転する等、正常なドア４１、５１の開閉動作が行われなくなる場合がある。
【００４８】
この原因としては、例えば、温度低下によってモータ５２３の巻線抵抗が下がることでモータ５２３に流れる電流が増大してトルク電流値が異常値（トルク制限値を超える値）となる場合や、ドア４１、５１の開閉動作の際のモータ５２３の負荷が増大し、これにより、トルク電流値が異常値となる場合、等が考えられる。ここで、温度低下によってモータ５２３の負荷が増大するのは、駆動部５２の各可動箇所が凍結によって動かない若しくは動き難くなったり、プーリー５２１やドアハンガー５２４の各ローラ５２４１等の軸周りのオイルの機械的粘性度が上がって回転し難くなったり、モータ５２３の減速軸の軸受等の回動部に配置されたベアリングのベアリンググリスの硬化によって回動部が回動（回転）し難くなったり、複数のプーリー５２１に巻き掛けられたベルト５２２等の収縮によって巻き掛けられた部材（プーリー５２１等）が回転し難くなったり、各構成部材の収縮率の差や嵌め合いが変わることによってベアリングのコロが圧迫されて抵抗が増し、該ベアリングが受ける回転部材が回転し難くなったりする場合等である。
【００４９】
しかし、本実施形態のエレベータ１のように、かご３や乗場４の雰囲気温度が低くなって（例えば、０℃より小さくなって）ドア４１、５１が動き難くなっている状態で該ドア４１、５１を戸開しようとしたときに、雰囲気温度が低くなっていることが原因でトルク電流値が大きくなり易い状態であっても、トルク電流値がトルク制限値に達する手前で（プリトルク制限値に達した時に）ドアの開動作を加速から等速に切り替え、加速を続ける場合に比べてモータの負荷を抑えることで、トルク電流値がトルク制限値に達し難くなり、これにより、トルク電流値が大きくなり過ぎることが原因のドア装置の動作不良（開閉動作の停止や反転等）が生じ難くなる。
【００５０】
また、本実施形態のエレベータ１では、戸開の際のドア４１、５１の加速時にモータ５２３のトルク電流値がプリトルク制限値に達したときは、該戸開の次の戸閉の際に、通常運転時（トルク電流値がプリトルク制限値に達しないときの運転時）における閉動作より低速となるように、ドア４１、５１の閉動作が行われる。このため、雰囲気温度の低下に起因するドア４１、５１の動作不良が生じ易くなっていることを、戸開時のトルク電流値によって検知したときに（即ち、モータ５２３のトルク電流値がプリトルク制限値に達したことで）、該戸開に続く戸閉において、ドア４１、５１の閉動作の速度を通常運転時（雰囲気温度が低くない状態（本実施形態の例では、０℃より高い温度）での運転時）の閉動作より低速にしてモータ５２３の負荷を抑えることができる。これにより、トルク電流値が大きくなり過ぎることに起因するドア装置５の動作不良を、前記戸開に続く戸閉においても、防ぐことができる。
【００５１】
尚、本発明のエレベータは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５２】
上記実施形態のエレベータ１では、戸開時にトルク電流値がプリトルク制限値に達するか否かを制御部６が監視し、前記戸開時（加速時）にトルク電流値がプリトルク制限値に到達した場合に、制御部６は、プリトルク制限値に達した時点でドア４１、５１の加速（加速動作）を等速（等速動作）に切り替え、続く戸閉におけるドア４１、５１の各動作（加速動作、等速移動動作、減速動作）を遅く（小さく）しているが、この構成に限定されない。
【００５３】
例えば、戸開待機中に呼びが入らず、一定時間、ドア４１、５１の開閉動作の停止状態が続いた場合に、制御部６は、待機後の初回の戸閉動作において、各動作の速度等（加速動作の加速度、等速移動動作の速度、減速動作の減速度のそれぞれ）を、通常の戸閉時（一定時間の戸開待機をしていないときの戸閉時）の８０〜９０％にする構成でもよい。即ち、前回の戸開時にトルク電流値がプリトルク制限値に達しているか否かにかかわらず、戸開待機状態で一定時間経過すると、これをトリガーとして、待機後の初回の戸閉動作を、通常の戸閉動作より遅くする制御が行われてもよい。この場合、次の戸開時には、トルク電流値がプリトルク制限値に達するか否かを制御部６が監視する上記実施形態と同様の制御が行われる。
【００５４】
また、上記実施形態のエレベータ１では、戸開毎に、トルク電流値がプリトルク制限値に達するか否かが監視されている制御（即ち、戸開毎に、図３のステップＳ１に戻る制御）が行われているが、この構成に限定されない。例えば、戸開時にトルク電流値がプリトルク制限値に達すると、その後、所定回数の戸開動作及び戸閉動作が終了するまで、各動作（加速動作、等速動作、減速動作）を遅くし、この所定回数の低速動作の終了後に、戸開時にトルク電流値がプリトルク制限値に達するか否かの監視を行う制御（即ち、戸開時にトルク電流値がプリトルク制限値に達すると、その後、所定回数の開閉動作が行われるまで戸開動作及び戸閉動作の各動作を低速で行い、その後、図３のステップＳ１に戻る制御）が行われてもよい。
【００５５】
上記実施形態のエレベータ１では、戸閉時にトルク電流値がトルク制限値に達すると、反転戸開し、その後、再度の戸閉を行い、この戸閉時にトルク電流値がトルク制限値に達しない場合には、全閉状態になるまで戸閉動作が行われる一方、再度の戸閉を行ったときにもトルク電流値がトルク制限値に達すると、トルク電流値がトルク制限値に達しなくなるまで、反転戸開と戸閉とを繰り返し、所定の回数繰り返しても戸閉時にトルク電流値がトルク制限値に達する場合に、ドア４１、５１の開閉動作を停止させるが、この構成に限定されない。
【００５６】
例えば、戸閉時にトルク電流値がトルク制限値に達すると、その後の戸閉動作を遅くする制御であってもよい。
【００５７】
また、上記のような戸閉時にトルク電流値がトルク制限値に達しなくなるまで反転戸開と戸閉とを繰り返す構成において、反転戸開と戸閉とが繰り返される毎に戸閉動作を前回の戸閉動作より遅くする制御、具体的には、反転戸開と戸閉とが繰り返される毎に、二回目の戸閉動作を一回目の戸閉動作より遅く（例えば、各動作を２０％減速）し、三回目の戸閉動作を二回目の戸閉動作より遅く（例えば、各動作を２０％減速）し、・・・、を繰り返す制御であってもよい。
【００５８】
上記実施形態のエレベータ１では、制御部６がかご３に配置されているが、この構成に限定されない。制御部６は、かご３から離れた位置に配置されていてもよい。
【００５９】
上記実施形態のエレベータ１では、ドア装置５は、かご３に設けられているが、この構成に限定されない。ドア装置５は、乗場４に設けられてもよく、かご３と乗場４とのそれぞれに設けられてもよい。
【００６０】
上記実施形態のドア装置５（エレベータ１）は、二つ（複数）のかごドア５１等が出入口３１の幅方向の両側に向けて戸開する、いわゆるセンターオープンタイプであるが、この構成に限定されない。ドア装置５（エレベータ１）は、かごドア５１等が出入口３１の幅方向の片方に向けて戸開する、いわゆる片開きタイプであってもよい。
【符号の説明】
【００６１】
１…エレベータ、２…昇降路、３…かご、３０…かご本体、３１…出入口、３１１…三方枠、３１２…敷居、３２…レール、４…乗場、４１…乗場ドア（ドア）、５…ドア装置、５１…かごドア（ドア）、５２…駆動部、５２１…プーリー、５２２…ベルト、５２３…モータ、５２４…ドアハンガー、５２４１…ローラ、６…制御部、９００…ドア装置、９１０…出入口、９２０…枠状体、９３０…三方枠、９３１…上縁部材、９３２…側縁部材、９４０…敷居、９５０…ドア、９６０…温風ヒータ
【図１】
2020132293.tif 000003
【図２】
2020132293.tif 000004
【図３】
2020132293.tif 000005
【図４】
2020132293.tif 000006